(57)【要約】【課題】  スピーカの音を効率良く且つ良好に放音させることができる鍵盤楽器を提供する。【解決手段】  前部側が上方に開放されたほぼ箱形状の楽器ケース１と、この楽器ケース１内に配置されて楽器ケース１の前部上側に露呈する鍵盤部１０と、前蓋１５と後蓋１６とが折り曲げ可能に連結されて鍵盤部１０の上側を開閉可能に覆う鍵盤蓋１３と、この鍵盤蓋１３をガイドして鍵盤部１０を上側に開放した際に鍵盤蓋１３を折り曲げて鍵盤部１０の後部に接近させた状態で配置させる蓋ガイド部１４と、鍵盤部１０の後方に位置する楽器ケース１内に配置されたスピーカ２６と、を備え、鍵盤蓋１３は、鍵盤部１０を上側に開放した際に、鍵盤部１０の後部とスピーカ２６との間に配置され、且つ楽器ケース１の上部に第２放音孔２８を設けた。従って、スピーカ２６の音を第２放音孔２８から良好に楽器ケース１の外部に放音させることができる。【選択図】        図２
2013242369.tif 000002
【特許請求の範囲】
【請求項１】
前部側が上方に開放された楽器ケースと、
この楽器ケース内に配置された鍵盤シャーシに複数の鍵が並列に配列されると共に前記楽器ケースの前部上側に露呈された鍵盤部と、
前記鍵盤部の後方に位置し、前記楽器ケース内に配置されたスピーカと、
前記楽器ケースの上部に位置する天板に設けられ、前記スピーカで発生した音を放音するための放音孔と、
複数の蓋部が折り曲げ可能に連結された鍵盤蓋と、
前記鍵盤部を上側に開放した際に、前記鍵盤蓋を折り曲げた状態で、前記鍵盤部の後部と前記スピーカとの間で、かつ前記放音孔を閉塞しない位置に配置させる蓋ガイド部と、
を備えていることを特徴とする鍵盤楽器。
【請求項２】
請求項１に記載の鍵盤楽器において、前記蓋ガイド部は、前記鍵盤蓋が前記鍵盤部の上側を覆った際に前記複数の蓋部をほぼ平板状に配置し、且つ前記鍵盤蓋が前記鍵盤部を上側に開放した際に前記複数の蓋部を折り曲げて前記鍵盤部の後部に接近させた状態で、前記鍵盤部の後部と前記スピーカとの間に配置させることを特徴とする鍵盤楽器。
【請求項３】
請求項１または請求項２に記載の鍵盤楽器において、前記スピーカは前記楽器ケース内に下向きに配置されており、前記放音孔は前記楽器ケースの上部における前記スピーカの上方に位置する箇所に設けられていることを特徴とする鍵盤楽器。
【請求項４】
請求項１または請求項２に記載の鍵盤楽器において、前記スピーカは前記楽器ケース内に前向きに配置されており、前記放音孔は前記楽器ケースの上部における前記スピーカの前側に位置する箇所に設けられていることを特徴とする鍵盤楽器。
【請求項５】
請求項４に記載の鍵盤楽器において、前記楽器ケース内には、前記鍵盤部と前記スピーカとを仕切る取付部材が、前記鍵盤部の後部に接近して配置された前記鍵盤蓋の後方に位置して設けられていると共に、前記取付部材によって前記鍵盤蓋と前記楽器ケースとの間に放音空間が設けられており、前記放音孔は、前記楽器ケースの上部における前記放音空間に対応する箇所に設けられていることを特徴とする鍵盤楽器。
【請求項６】
請求項１〜請求項５のいずれかに記載の鍵盤楽器において、前記楽器ケースには、前記放音孔を塞ぐ閉塞蓋が開閉可能に設けられていることを特徴とする鍵盤楽器。
【請求項７】
請求項６に記載の鍵盤楽器において、前記閉塞蓋を開閉自在に支持する蓋支持部材を備えていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、電子鍵盤楽器においては、特許文献１に記載されているように、前部側が上方に開放された楽器ケース内に鍵盤部を設けると共に、この鍵盤部を覆う鍵盤蓋を開閉可能に設け、この楽器ケースの下面にスピーカを上向きに取り付け、このスピーカで発生した音を楽器ケース内から楽器ケースの前側に向けて放音するように構成したものが知られている。
【先行技術文献】
【特許文献】
【０００３】
【特許文献１】特開２０１１−２８０３４号公報
【０００４】
このような電子鍵盤楽器における鍵盤部は、楽器ケース内に配置された鍵盤シャーシと、この鍵盤シャーシ上に上下方向に回転可能な状態で並列に配列された複数の鍵とを備え、この複数の鍵の各隙間を通してスピーカの音が楽器ケースの前側に向けて放音されるように構成されている。
【０００５】
また、鍵盤蓋は、前蓋と後蓋とが蝶番で折り曲げ可能に連結され、蓋ガイド部によってガイドされるように構成されている。この場合、蓋ガイド部は、鍵盤蓋が鍵盤部を上側に開放した際に、前蓋と後蓋とを蝶番で折り曲げて。後蓋を鍵盤部の後部に接近させた状態で配置させるように構成されている。
【０００６】
これにより、この電子鍵盤楽器では、鍵盤蓋が鍵盤部を上側に開放した際に、前蓋が楽器ケースの上部に僅かな隙間をもって接近すると共に、後蓋が楽器ケースの後部に僅かな隙間をもって接近し、これらの隙間を通してスピーカの音が楽器ケースの前側に向けて放音されるように構成されている。
【発明の概要】
【発明が解決しようとする課題】
【０００７】
しかしながら、このような電子鍵盤楽器では、スピーカで発生した音が楽器ケースの内部を通して楽器ケースの前側に向けて放音される際に、鍵盤部における複数の鍵の各隙間、および後蓋と楽器ケースの後部との僅かな隙間、並びに前蓋と楽器ケースの上部との僅かな隙間を通して、スピーカの音が楽器ケースの前側に向けて放音される構成であるから、スピーカの音を効率良く且つ良好に放音させることができないという問題がある。
【０００８】
この発明が解決しようとする課題は、スピーカの音を効率良く且つ良好に放音させることができる鍵盤楽器を提供することである。
【課題を解決するための手段】
【０００９】
この発明は、
前部側が上方に開放された楽器ケースと、
この楽器ケース内に配置された鍵盤シャーシに複数の鍵が並列に配列されると共に前記楽器ケースの前部上側に露呈された鍵盤部と、
前記鍵盤部の後方に位置し、前記楽器ケース内に配置されたスピーカと、
前記楽器ケースの上部に位置する天板に設けられ、前記スピーカで発生した音を放音するための放音孔と、
複数の蓋部が折り曲げ可能に連結された鍵盤蓋と、
前記鍵盤部を上側に開放した際に、前記鍵盤蓋を折り曲げた状態で、前記鍵盤部の後部と前記スピーカとの間で、かつ前記放音孔を閉塞しない位置に配置させる蓋ガイド部と、
を備えていることを特徴とする鍵盤楽器である。
【発明の効果】
【００１０】
この発明によれば、鍵盤蓋が鍵盤部を開放させて上側に露呈させた状態で、この鍵盤部を押鍵操作してスピーカから楽音を発生させた際に、その楽音を楽器ケースの上部に設けられた放音孔から確実に且つ良好に楽器ケースの外部に放音させることができるので、スピーカの音を効率良く且つ良好に放音させることができる。
【図面の簡単な説明】
【００１１】
【図１】この発明を電子鍵盤楽器に適用した第１実施形態を示した断面図である。
【図２】図１に示された電子鍵盤楽器において、鍵盤蓋および閉塞蓋を開いて演奏する状態を示した断面図である。
【図３】図２に示された電子鍵盤楽器において、閉塞蓋を取り外した状態を示した要部の平面図である。
【図４】図２に示された電子鍵盤楽器において、閉塞蓋を開いて支持するための蓋支持部材を示した要部の拡大斜視図である。
【図５】図２に示された電子鍵盤楽器において、閉塞蓋を開いて蓋支持部材によって支持した状態を示した要部の拡大断面図である。
【図６】図５に示された閉塞蓋を押し上げた状態を示した要部の拡大断面図である。
【図７】図６に示された蓋支持部材を反時計回りに回転させて閉塞蓋を閉じる方向に下げた状態を示した要部の拡大断面図である。
【図８】図７に示された蓋支持部材が閉塞蓋の収納凹部に収納されて閉塞蓋が第２放音孔を塞いだ状態を示した要部の拡大断面図である。
【図９】この発明を電子鍵盤楽器に適用した第２実施形態を示した断面図である。
【図１０】図９に示された電子鍵盤楽器において閉塞蓋を取り外した状態を示した要部の平面図である。
【発明を実施するための形態】
【００１２】
（第１実施形態１）
以下、図１〜図８を参照して、この発明を電子鍵盤楽器に適用した第１実施形態について説明する。
この電子鍵盤楽器は、図１〜図３に示すように、楽器ケース１を備えている。この楽器ケース１は、前側上部（図１では左側上部）が開放された横長のほぼ箱形状に形成されている。
【００１３】
すなわち、この楽器ケース１は、図１および図２に示すように、底板２と、この底板２の前端部（図１では左端部）に起立して設けられた前板３と、底板２の後端部（図１では右端部）に起立して設けられた後板４と、底板２の左右両側部（図１では紙面の表裏面の両側部）に起立して設けられた一対の側板５と、この一対の側板および後板４の上部に配置された天板６とを備えている。
【００１４】
この場合、前板３は、図１および図２に示すように、後板４の高さのほぼ半分程度の高さで形成されている。また、一対の側板５は、その前端部が前板３よりも少し高く形成され、前後方向（図１では左右方向）におけるほぼ中間部から後部側が後板４と同じ高さで形成され、前端部から中間部に向けて後部上がりに傾斜する傾斜部に形成されている。
【００１５】
天板６は、図１および図２に示すように、前天板７と後天板８とを備えている。この場合、前天板７は、一対の側板５の後部における前側上部に配置されている。後天板８は、一対の側板５の後部における後側上部と後板４の上部とに配置されている。これにより、楽器ケース１は、一対の側板５の各傾斜部に対応する前部側が上方に開放された横長のほぼ箱形状に形成されている。
【００１６】
この楽器ケース１内には、図１〜図３に示すように、鍵盤部１０が設けられている。この鍵盤部１０は、楽器ケース１の底板２上に配置された鍵盤シャーシ１１と、この鍵盤シャーシ１１上に上下方向に回転可能な状態で並列に配列された複数の鍵１２とを備えている。この鍵盤部４は、図２および図３に示すように、複数の鍵１２が楽器ケース１の前部側から上方に露呈した状態で、押鍵操作されるように構成されている。
【００１７】
また、この楽器ケース１内には、図１および図２に示すように、コンソールパネル９が鍵盤部１０の後部に位置する上側から天板６の前部の下側に向けて傾斜して設けられている。また、この楽器ケース１内には、鍵盤部１０の上側を覆う鍵盤蓋１３が蓋ガイド部１４によって開閉可能に設けられている。この鍵盤蓋１３は、前蓋１５と後蓋１６とを有し、この前蓋１５と後蓋１６とが蝶番１７によって折り曲げ可能に連結された構成になっている。
【００１８】
この場合、前蓋１５の前端部には、図１および図２に示すように、ガイド軸１５ａが一対の側板５に向けて突出して設けられている。また、後蓋１６の前端部には、ガイド軸１６ａが一対の側板５に向けて突出して設けられている。この後蓋１６の後端部には、軸取付板１６ｂが取り付けられており、この軸取付板１６ｂには、ピニオンギア１６ｃが回転可能に取り付けられている。
【００１９】
蓋ガイド部１４は、図１および図２に示すように、鍵盤蓋１３が鍵盤部１０の上側を覆った際に前蓋１５と後蓋１６とをほぼ平板状に配置し、且つ鍵盤蓋１３が鍵盤部１０を上側に開放した際に前蓋１５と後蓋１６とを蝶番１７で折り曲げて鍵盤部１０の後部に接近させた状態で配置させるように構成されている。この場合、蓋ガイド部１４は、ガイドレール部１８とガイド部材１９とを有している。
【００２０】
ガイドレール部１８は、図１および図２に示すように、一対の側板５の内面に前板３の上側からコンソールパネル９の上側を経て後板４に向けて斜め上方に傾斜して設けられ、鍵盤蓋１３の前蓋１５のガイド軸１５ａと後蓋１６のガイド軸１６ａとをそれぞれガイドするように構成されている。これにより、ガイドレール部１８は、図１に示すように、前蓋１５と後蓋１６とが鍵盤部１０の上側を覆った際に、前蓋１５と後蓋１６とを前下りに傾斜させた状態で平板状に配置するように構成されている。
【００２１】
ガイド部材１９は、図１および図２に示すように、鍵盤部１０の後端部の上部付近に位置する箇所の側板５の内面に設けられた支持軸２０と、この支持軸２０に回転自在に取り付けられたアーム部２１と、このアーム部２１の先端と後蓋１６のピニオンギア１６ｃとを連結する連結軸２２と、側板５に支持軸２０を中心とする円弧状に設けられて連結軸２２をガイドするガイド溝部２３と、後蓋１６のピニオンギア１６ｃが噛み合って回転移動する半円形状のガイド歯車部２４とを備えている。
【００２２】
これにより、蓋ガイド部１４は、図１に示すように、鍵盤蓋１３の前蓋１５と後蓋１６とが鍵盤部１０の上側を覆って閉じた際に、前蓋１５のガイド軸１５ａがガイドレール部１８の前端部に位置し、後蓋１６のガイド軸１６ａがガイドレール部１８の中間部に位置し、後蓋１６の後端部に位置する連結軸２２がガイド溝部２３の上端部に位置し、且つピニオンギア１６ｃがガイド歯車部２４の上端部に位置することにより、前蓋１５と後蓋１６とを前下がりに傾斜させた状態で平板状に配置するように構成されている。
【００２３】
また、この蓋ガイド部１４は、図２に示すように、鍵盤蓋１３が開いて鍵盤部１０を上側に開放した際に、前蓋１５と後蓋１６とが蝶番１７で折れ曲がり、前蓋１５のガイド軸１５ａが鍵盤部１０の後部上方に位置するガイドレール部１８の箇所に位置し、後蓋１６のガイド軸１６ａがガイドレール部１８の後端部に位置し、この後蓋１６の後端部に位置する連結軸２２がガイド溝部２３の下端部に位置し、且つピニオンギア１６ｃがガイド歯車部２４の下端部に位置することにより、鍵盤蓋１３が鍵盤部１０の後部を覆い隠すように、後蓋１６を前蓋１５に対し折り曲げて鍵盤部１０の後部に接近させた状態で、垂下させ、かつ後述の第２放音孔２８を閉塞しない位置に配置するように構成されている。
【００２４】
ところで、楽器ケース１内には、図１および図２に示すように、スピーカ２６が鍵盤部１０の後方に位置した状態で下向きに配置されている。すなわち、このスピーカ２６は、鍵盤蓋１３の後蓋１６が前蓋１５に対し折り曲げられて鍵盤部１０の後部に接近した状態で垂下された際に、この後蓋１６の後方に位置する箇所における鍵１２の配列方向の両側に配置されている。この場合、楽器ケース１の底板２には、スピーカ２６の音を楽器ケース１の下側に向けて放音する第１放音孔２７が設けられている。
【００２５】
また、楽器ケース１の天板６における後天板８には、図１〜図３に示すように、スピーカ２６の音を楽器ケース１の上側に向けて放音する第２放音孔２８が設けられている。この場合、前天板７は、鍵盤部１０の後部の上方に位置して後天板８よりも高い位置に配置され、鍵盤蓋１３が鍵盤部１０を上側に開放した際に、前蓋１５の上面が接近するように構成されている。また、後天板８は、スピーカ２６の上方に位置した状態で、その上面が前天板７の下面と同じ高さで一対の側板５と後板４との上部に設けられている。
【００２６】
これにより、第２放音孔２８は、図１〜図３に示すように、スピーカ２６の上方に位置する後天板８の両側にそれぞれ設けられている。この後天板８の上面には、第２放音孔２８を塞ぐための閉塞蓋３０が開閉可能に設けられている。この閉塞蓋３０は、その厚みが前天板７と同じ厚みで形成され、その後端部がヒンジ部３１によって後板４の上端部に回転可能に取り付けられている。これにより、閉塞蓋３０は、後天板８上に重なって配置された際に、その上面が前天板７の上面と同じ高さになるように構成されている。
【００２７】
また、この閉塞蓋３０は、図１〜図８に示すように、蓋支持部材３２によって開閉可能に支持されるように構成されている。すなわち、この蓋支持部材３２は、図４および図５に示すように、後天板８上に設けられた支持ガイド部３３と、この支持ガイド部３２に移動可能に支持される支持アーム部３４とを備えている。支持ガイド部３３は、ガイド板３５と位置規制板３６とを備えている。
【００２８】
ガイド板３５は、図４〜図８に示すように、支持アーム部３４を後天板８の前後方向にガイドするものであり、前取付部３５ａと後取付部３５ｂとの上部に本体部３５ｃを架け渡した構成になっている。位置規制板３６は、支持アーム部３４を位置規制するものであり、ガイド板３５の本体部３５ｃの下側に配置され、前側位置規制部３６ａと後側位置規制部３６ｂとを備えている。前側位置規制部３６ａは、緩やかな山形状に形成されており、後側位置規制部３６ｂは、急峻な山形状に形成されている。
【００２９】
支持アーム部３４は、図４〜図８に示すように、丸棒をほぼＵ字形状に折り曲げ、その両端部を更に左右に折り曲げたものであり、ほぼＵ字形状の底部が支持ガイド部３３にガイドされて支持される支持部３４ａに形成され、両端部が閉塞蓋３０に回転可能に取り付けられたアーム軸３４ｂに形成されている。この場合、閉塞蓋３０の下面には、支持ガイド部３３および支持アーム部３４が挿入する収納凹部３０ａと、支持アーム部３４のアーム軸３４ｂを収納凹部３０ａ内に回転可能に取り付ける軸受け金具３０ｂとが設けられている。
【００３０】
これにより、この蓋支持部材３２は、図５に示すように、閉塞蓋３０を開いた際に、支持アーム部３４がアーム軸３４ｂを中心に自重で回転して、支持部３４ａが支持ガイド部３３の前端部に位置してガイド板３５の前側取付部３５ａに当接し、これにより支持部３４ａが位置規制され、この状態で閉塞蓋３０が支持アーム部３４によって支持されるように構成されている。
【００３１】
また、この蓋支持部材３２は、図６に示すように、閉塞蓋３０を閉じる際に、閉塞蓋３０を少し持ち上げると、支持アーム部３４の支持部３４ａが支持ガイド部３３のガイド板３５の本体部３５ｃに下側から当接し、閉塞蓋３０の上方への回転を規制するように構成されている。
【００３２】
このときに、蓋支持部材３２は、図６に示すように、支持アーム部３４の支持部３４ａが支持ガイド部３３の位置規制部３６における前側位置規制部３６ａを乗り越えることなく、前側位置規制部３６ａに接近することにより、不用意に閉塞蓋３０が閉じないように構成されている。
【００３３】
また、この蓋支持部材３２は、図７に示すように、支持アーム部３４を反時計回りに回転させて支持部３４ａが前側位置規制部３６ａを乗り越えた際に、閉塞蓋３０が閉じる方向に回転しながら、支持部３４ａが位置規制部３６上を移動して後側位置規制部３６ｂに当接し、閉塞蓋３０が閉じる方向に回転するのを規制して、閉塞蓋３０が完全に閉じないように構成されている。
【００３４】
さらに、この蓋支持部材３２は、図７に示すように、支持アーム部３４の支持部３４ａを後側位置規制部３６ｂの上側に持ち上げて離脱させると、図８に示すように、支持アーム部３４が反時計回りに回転しながら、支持部３４ａが後側位置規制部３６ｂを乗り越えて、支持ガイド部３３の後端部に位置し、この支持部３４ａがガイド板３５の後側取付部３５ｂに当接して位置規制されるように構成されている。
【００３５】
これにより、蓋支持部材３２は、図１および図８に示すように、閉塞蓋３０の下面に設けられた収納凹部３０ａ内に挿入して収納されることにより、閉塞蓋３０が後天板８の上面に密接した状態で配置され、これにより閉塞蓋３０が第２放音孔２８を塞ぐように構成されている。
【００３６】
次に、このような電子鍵盤楽器の作用について説明する。
この電子鍵盤楽器で演奏をする場合には、まず、鍵盤蓋１３を開いて鍵盤部１０を上側に開放させる。このときには、前蓋１５の前端部を持ち上げて後方に向けて移動させると、前蓋１５のガイド軸１５ａと後蓋１６のガイド軸１６ａがガイドレール部１８に沿って移動し、後蓋１６の連結軸２２がガイド溝部２３に沿って移動すると共に、ピニオンギア１６ｃがガイド歯車部２４に噛み合って移動しながら、前蓋１５と後蓋１６とが蝶番１７で徐々に折れ曲がって楽器ケース１内の後側に向けて移動する。
【００３７】
そして、前蓋１５のガイド軸１５ａが鍵盤部１０の後部上方に位置するガイドレール部１８の箇所に位置し、後蓋１６のガイド軸１６ａがガイドレール部１８の後端部に位置し、この後蓋１６の後端部に位置する連結軸２２がガイド溝部２３の下端部に位置し、且つピニオンギア１６ｃがガイド歯車部２４の下端部に位置すると、後蓋１６が前蓋１５に対し折れ曲がって鍵盤部１０の後部に接近した状態で楽器ケース１内に垂下される。
【００３８】
これにより、鍵盤蓋１３が、図２に示すように、鍵盤部１０の後部を覆い隠す。このときには、後蓋１６が鍵盤部１０の後部とスピーカ２６との間に配置されて、その両方の間を仕切る。この状態では、鍵盤部１０が上方に開放されて複数の鍵１２が上側に露呈するので、演奏が可能な状態になる。この状態で、演奏する前には、まず、天板６の閉塞蓋３０を開いて第２放音孔２８を開放する。
【００３９】
このときには、閉塞蓋３０の前端部を持ち上げると、蓋支持部材３２の支持アーム部３４が自重でアーム軸３４ｂを中心に自動的に回転しながら、支持部３４ａが支持ガイド部３３の位置規制板３６上を移動して、この位置規制板３６の後側位置規制３６ｂおよび前側位置規制部３６ａを順次乗り越えるので、支持部３４ａが支持ガイド部３３のガイド板３５の前取付部３５ａに当接する。これにより、閉塞蓋３０が天板６の後天板８上に開いた状態で支持アーム部３４によって支持される。
【００４０】
このような状態で、楽器ケース１の前部側から上側に露呈した鍵盤部１０の複数の鍵１２を押鍵操作して演奏すると、その押鍵操作に応じた楽音をスピーカ２６が発生する。この場合、スピーカ２６で発生した楽音のうち、高音側の音は、楽器ケース１の底板２に設けられた第１放音孔２７から楽器ケース１の下側に向けて放音される。また、低音側の音は、楽器ケース１の天板６における後天板８に設けられた第２放音孔２８から楽器ケース１の上側に向けて放音されると共に、この放音された音が閉塞蓋３０によって楽器ケース１の前側に向けて放音される。
【００４１】
この場合、低音側の音は、第２放音孔２８から楽器ケース１の上側に放音されるほかに、鍵盤蓋１３の前蓋１５と天板６の前天板７との間を通って楽器ケース１の前側に向けて放音されると共に、鍵盤蓋１３の後蓋１６の下側から鍵盤シャーシ１１内を通って複数の鍵１２の各隙間から楽器ケース１の前側に向けて放音される。これらによって、スピーカ２６で発生した楽音が効率良く良好に楽器ケース１から放音される。
【００４２】
一方、演奏をないときには、鍵盤蓋１３を閉じて鍵盤部１０を覆うと共に、閉塞蓋３０を閉じて第２放音孔２８を塞ぐ。このときには、鍵盤蓋１３の前蓋１５の前端部を楽器ケース１の前側に向けて引き出すと、前蓋１５のガイド軸１５ａと後蓋１６のガイド軸１６ａがガイドレール部１８に沿って移動し、後蓋１６の連結軸２２がガイド溝部２３に沿って移動すると共に、ピニオンギア１６ｃがガイド歯車部２４に噛み合って移動しながら、前蓋１５と後蓋１６とが蝶番１７で徐々に折れ曲がって楽器ケース１の前側に向けて移動する。
【００４３】
そして、前蓋１５のガイド軸１５ａが楽器ケース１の前板３上に位置するガイドレール部１８の前端部に位置し、後蓋１６のガイド軸１６ａがガイドレール部１８の中間部に位置し、この後蓋１６の後端部に位置する連結軸２２がガイド溝部２３の上端部に位置し、且つピニオンギア１６ｃがガイド歯車部２４の上端部に位置すると、前蓋１５と後蓋１６とが前下がりに傾斜した状態で平板状に配置される。これにより、鍵盤部１０が前蓋１５と後蓋１６とによって覆われる。
【００４４】
また、このときに、閉塞蓋３０を閉じて第２放音孔２８を塞ぐ。この場合には、閉塞蓋３０を少し持ち上げると、蓋支持部材３２の支持アーム部３４の支持部３４ａが支持ガイド部３３のガイド板３５の本体部３５ｃに下側から当接し、閉塞蓋３０の上方への回転が規制される。このときに、図６に示すように、支持アーム部３４の支持部３４ａが支持ガイド部３３の位置規制部３６における前側位置規制部３６ａを乗り越えることなく、前側位置規制部３６ａに接近する。このため、不用意に閉塞蓋３０が閉じることがない。
【００４５】
この状態で、図７に示すように、支持アーム部３４を反時計回りに回転させて、支持部３４ａが前側位置規制部３６ａを乗り越えた際には、閉塞蓋３０が閉じる方向に回転しながら、支持部３４ａが位置規制部３６上を移動して後側位置規制部３６ｂに当接する。これにより、閉塞蓋３０の回転が規制されて、閉塞蓋３０が完全に閉じるのを防ぎ、閉塞蓋３０によって手を挟んで怪我をするのを防ぐことができる。
【００４６】
この後、図８に示すように、支持アーム部３４の支持部３４ａを後側位置規制部３６ｂの上側に持ち上げて後側位置規制部３６ｂから離脱させると、支持アーム部３４が再び回転しながら支持部３４ａが後側位置規制部３６ｂを乗り越えて、支持ガイド部３３の後端部に位置してガイド板３５の後側取付部３５ｂに当接して位置規制される。このときには、蓋支持部材３２が閉塞蓋３０の収納凹部３０ａ内に収納されて、閉塞蓋３０が後天板８上に配置されて第２放音孔２８を塞ぐ。
【００４７】
このように、この電子鍵盤楽器によれば、前部側が上方に開放されたほぼ箱形状の楽器ケース１と、この楽器ケース１内に配置されて楽器ケース１の前部上側に露呈する鍵盤部１０と、前蓋１５と後蓋１６が折り曲げ可能に連結されて前記鍵盤部の上側を開閉可能に覆う鍵盤蓋１３と、この鍵盤蓋１３を開閉可能にガイドして鍵盤部１０を上側に開放した際に鍵盤蓋１３を折り曲げて鍵盤部１０の後部に接近させた状態で配置させる蓋ガイド部１４と、鍵盤部１０の後方に位置する楽器ケース１内に配置されたスピーカ２６と、を備え、鍵盤蓋１３が鍵盤部１０を上側に開放した際に、鍵盤蓋１３が折り曲げられて鍵盤部１０の後部とスピーカ２６との間に配置され、且つ楽器ケース１の上部に第２放音孔２８が設けられていることにより、この第２放音孔２８によってスピーカ２６の音を効率良く且つ良好に放音させることができる。
【００４８】
すなわち、この電子鍵盤楽器では、鍵盤蓋１３が鍵盤部１０を開放させて上側に露呈させた状態で、この鍵盤部１０を押鍵操作してスピーカ２６から楽音を発生させた際に、その楽音を楽器ケース１に設けられた第２放音孔２８から確実に且つ良好に楽器ケース１の外部に放音させることができるので、スピーカ２６の音を効率良く且つ良好に放音させることができる。
【００４９】
また、この電子鍵盤楽器では、鍵盤蓋１３を開閉可能にガイドする蓋ガイド部１４が、鍵盤部１０の上側を鍵盤蓋１３で覆った際に前蓋１５と後蓋１６とをほぼ平板状に配置し、且つ鍵盤部１０を鍵盤蓋１３が上側に開放した際に、前蓋１５と後蓋１６とを折り曲げて鍵盤蓋１３を、鍵盤部１０の後部に接近させた状態で、鍵盤部１０の後部とスピーカ２６との間に配置させる構成であるから、前蓋１５と後蓋１６とによって鍵盤部１０の後部を覆うことができると共に、後蓋１６によって鍵盤部１０の後部とスピーカ２６との間を仕切ることができ、これにより鍵盤部１０の後方に位置する楽器ケース１内に音響空間を形成することができる。
【００５０】
この場合、スピーカ２６は楽器ケース１内に下向きに配置されており、第２放音孔２８は楽器ケース１の上部におけるスピーカ２６の上方に位置する箇所に設けられていることにより、スピーカ２６で発生した楽音のうち、低音側の音を楽器ケース１の天板６に設けられた第２放音孔２８から楽器ケース１の上側に向けて放音することができ、また高音側の音を楽器ケース１の底板２に設けられた第１放音孔２７から楽器ケース１の下側に向けて放音することができる。このため、スピーカ２６で発生した楽音を効率良く良好に楽器ケース１から放音することができる。
【００５１】
このとき、スピーカ２６で発生した楽音のうち、低音側の音は、楽器ケース１の天板６に設けられた第２放音孔２８から楽器ケース１の上側に向けて放音されるほか、鍵盤蓋１３の前蓋１５と天板６の前天板７との間を通って楽器ケース１の前側に向けて放音されると共に、鍵盤蓋１３の後蓋１６の下側から鍵盤シャーシ１１内を通って複数の鍵１２の各隙間から楽器ケース１の前側に向けて放音されるので、これらによってもスピーカ２６で発生した楽音を効率良く良好に楽器ケース１から放音することができる。
【００５２】
また、この電子鍵盤楽器では、楽器ケース１の上部に第２放音孔２８を塞ぐ閉塞蓋３０が開閉可能に設けられていることにより、演奏する際に、閉塞蓋３０を開くことにより、スピーカ２６の音を第２放音孔２８から楽器ケース１の上側に放音させることができると共に、この放音された音を閉塞蓋３０で楽器ケース１の前側に向けて放音させることができる。また、演奏しない際には、閉塞蓋３０で第２放音孔２８を塞ぐことにより、第２放音孔２８から塵埃などの異物が楽器ケース１内に侵入するのを防ぐことができる。
【００５３】
さらに、この電子鍵盤楽器では、閉塞蓋３０を開閉自在に支持する蓋支持部材３２を備えていることにより、この蓋支持部材３２によって閉塞蓋３０を開いた状態で安全に且つ確実に支持することができる。この場合、蓋支持部材３２は、後天板８上に設けられた支持ガイド部３３と、この支持ガイド部３２に移動可能に支持される支持アーム部３４とを備えているので、閉塞蓋３０を開いた際に、支持アーム部３４を自重で動作させ、この支持アーム部３４を支持ガイド部３２によって起立させた状態で保持することができ、この支持アーム部３４によって閉塞蓋３０を開いた状態で確実に且つ安定して支持することができる。
【００５４】
すなわち、支持ガイド部３３は、支持アーム部３４を後天板８の前後方向にガイドするガイド板３５と、支持アーム部３４を位置規制する位置規制板３６とを備えており、支持アーム部３４は、丸棒をほぼＵ字形状に折り曲げてなり、支持ガイド部３３にガイドされて支持される支持部３４ａと、閉塞蓋３０に回転可能に取り付けられたアーム軸３４ｂとを備えているので、閉塞蓋３０を開いた際に、支持ガイド部３２によって支持アーム部３４を起立させた状態で保持することができる。
【００５５】
この場合、ガイド板３５は、前取付部３５ａと後取付部３５ｂとの上部に本体部３５ｃを架け渡した構成であり、位置規制板３６は、ガイド板３５の本体部３５ｃの下側に配置されて、緩やかな山形状の前側位置規制部３６ａと急峻な山形状の後側位置規制部３６ｂとを備えているので、閉塞蓋３０を開いた際に、ガイド板３５の前取付部３５ａによって支持アーム部３４の支持部３４ａを確実に位置規制して保持することができ、また閉塞蓋３０を閉じる際に、位置規制板３６の前側位置規制部３６ａと後側位置規制部３６ｂとによって支持アーム部３４の支持部３４ａを位置規制しながら安全に閉じることができる。
【００５６】
すなわち、閉塞蓋３０を閉じる際には、閉塞蓋３０を少し持ち上げると、蓋支持部材３２の支持アーム部３４の支持部３４ａが支持ガイド部３３のガイド板３５の本体部３５ｃに下側から当接し、閉塞蓋３０の上方への回転を規制することができる。このときに、支持アーム部３４の支持部３４ａが支持ガイド部３３の位置規制部３６における前側位置規制部３６ａを乗り越えることがなく、前側位置規制部３６ａに接近するため、不用意に閉塞蓋３０が閉じるのを防ぐことができる。
【００５７】
また、この状態で、支持アーム部３４を反時計回りに回転させて、支持部３４ａが前側位置規制部３６ａを乗り越えた際には、閉塞蓋３０が閉じる方向に回転しながら、支持部３４ａが位置規制部３６上を移動して後側位置規制部３６ｂに当接するので、閉塞蓋３０が完全に閉じるのを防ぐことができ、これにより閉塞蓋３０によって手を挟んで怪我をするのを防ぐことができる。
【００５８】
さらに、この状態で、支持アーム部３４の支持部３４ａを後側位置規制部３６ｂの上側に持ち上げて後側位置規制部３６ｂから離脱させると、支持アーム部３４が再び回転しながら支持部３４ａが後側位置規制部３６ｂを乗り越えるので、支持アーム部３４をガイド板３５の後側取付部３５ｂに当接させて確実に位置規制することができる。
【００５９】
この場合、閉塞蓋３０には、蓋支持部材３２を収納する収納凹部３０ａが設けられているので、支持アーム部３４がガイド板３５の後側取付部３５ｂに当接して位置規制された際に、蓋支持部材３２を閉塞蓋３０の収納凹部３０ａ内に収納することができ、これにより閉塞蓋３０を天板６の後天板８上に密接させて配置させることができると共に、第２放音孔２８を確実に且つ良好に塞ぐことができる。
【００６０】
（第２実施形態）
次に、図９および図１０を参照して、この発明を電子鍵盤楽器に適用した第２実施形態について説明する。なお、図１〜図８に示された第１実施形態と同一部分には同一符号を付して説明する。
この電子鍵盤楽器は、図９に示すように、楽器ケース４０内にスピーカ２６を前向きに配置した構成であり、これ以外は第１実施形態とほぼ同じ構成になっている。
【００６１】
すなわち、この楽器ケース４０は、図９に示すように、後板４１の高さがスピーカ２６の外径よりも高く形成され、これにより後板４１が第１実施形態の後板４よりも高く形成されている。これに伴って、一対の側板５は、その中間部よりも後部側が第１実施形態の側板５よりも高く形成されている。また、天板４２は、後板４１の上部と一対の側板５における後部側の上部とに跨って配置されている。この天板４２の前端部には、前下り板４２ａが鍵盤蓋１３の上側に接近して設けられている。また、この天板４２上の前部には、前天板４３が配置されている。
【００６２】
また、この楽器ケース４０内には、図９に示すように、鍵盤部１０とスピーカ２６とを仕切る取付板４４が、鍵盤部１０の後部に接近して配置される鍵盤蓋１３の後方に位置して設けられている。この取付板４４は、その下端部が底板２上に取り付けられ、上端部が天板４２の下面に取り付けられている。この取付板４４の後面（図９では右側面）には、スピーカ２６が前向きに取り付けられている。この場合、取付板４４には、第１放音孔４５がスピーカ２６に対応して設けられている。
【００６３】
これにより、楽器ケース４０内には、図９に示すように、取付板４４によって、その後部側に音響空間４６が形成され、また取付板４４の前部側に放音空間４７が形成されている。すなわち、音響空間４６は、取付板４４と後板４１との間に形成されている。また、放音空間４７は、スピーカ２６の前側に位置する鍵盤蓋１３と天板４２と取付板４４との間に形成されている。
【００６４】
また、天板４２には、第２放音孔４８がスピーカ２６の前側に位置する放音空間４７に対応して設けられている。この天板４２上には、第１実施形態と同様、第２放音孔４８を塞ぐ閉塞蓋３０が設けられている。この閉塞蓋３０も、第１実施形態と同様、その後端部がヒンジ部３１によって後板４１の上端部に回転可能に取り付けられていると共に、蓋支持部材３２によって開閉可能に支持されるように構成されている。
また、鍵盤蓋１３が開いて鍵盤部１０を上側に開放した際にも、第１実施形態と同様に鍵盤蓋１３が第２放音孔４８を閉塞しない位置に配置するように構成されている。
【００６５】
次に、このような電子鍵盤楽器の作用について説明する。
鍵盤蓋１３を開いて鍵盤部１０の複数の鍵１２を押鍵操作して演奏する際には、第１実施形態と同様、閉塞蓋３０の前端部を持ち上げる。すると、閉塞蓋３０が天板４２上に傾斜した状態で開き、この閉塞蓋３０が支持アーム部３４によって支持される。この状態で、楽器ケース１の前部側から上側に露呈した鍵盤部１０の複数の鍵１２を押鍵操作して演奏すると、その押鍵操作に応じた楽音をスピーカ２６が発生する。
【００６６】
このときには、スピーカ２６で発生した楽音のうち、高音側の音は、取付板４４の第１放音孔４５から楽器ケース４０内の放音空間４７に放音され、この放音空間４７に放音された音が天板４２の第２放音孔４８から楽器ケース４０の上側に放音され、この放音された音が閉塞蓋３０によって楽器ケース１の前側に向けて放音される。
【００６７】
この場合、放音空間４７に放音された音は、第２放音孔４８から楽器ケース４０の上側に放音されるほかに、鍵盤蓋１３の前蓋１５と天板４２の前下り板４２ａとの間を通って楽器ケース４０の前側に向けて放音されると共に、鍵盤蓋１３の後蓋１６の下側から鍵盤シャーシ１１内を通って複数の鍵１２の各隙間から楽器ケース４０の前側に向けて放音される。これらによって、スピーカ２６で発生した楽音が効率良く良好に楽器ケース４０から放音される。
【００６８】
このように、この電子鍵盤楽器によれば、第１実施形態と同様の作用効果があるほか、スピーカ２６が楽器ケース４０内に前向きに配置され、第２放音孔４８が楽器ケース４０の天板４２におけるスピーカ２６の前側に位置する箇所に設けられているので、スピーカ２６で発生した楽音のうち、高音側の音を楽器ケース４０の天板４２に設けられた第２放音孔４８から楽器ケース４０の上側に向けて放音することができ、これによりスピーカ２６で発生した楽音を効率良く良好に楽器ケース４０から放音することができる。
【００６９】
この場合、楽器ケース４０内には、鍵盤部１０とスピーカ２６とを仕切る取付板４４が、鍵盤部１０の後部に接近して配置された鍵盤蓋１３の後方に位置して設けられていると共に、この取付板４４によって鍵盤蓋１３と楽器ケース４０との間に放音空間４６が設けられ、第２放音孔４８が、楽器ケース４０の天板４２における放音空間４６に対応する箇所に設けられていることにより、スピーカ２６で発生した楽音のうち、高音側の音を鍵盤蓋１３と楽器ケース４０との間の放音空間４６に確実に放音させることができ、この放音空間４６に放音された音を第２放音孔４８から楽器ケース４０の上側に良好に放音させることができる。
【００７０】
このときにも、スピーカ２６で発生した楽音のうち、高音側の音は、楽器ケース４０の天板４２に設けられた第２放音孔４８から楽器ケース１の上側に向けて放音されると、第１実施形態と同様、放音された音を閉塞蓋３０によって楽器ケース４０の前側に向けて放音することができるので、これによってもスピーカ２６で発生した楽音を効率良く良好に楽器ケース４０から放音することができる。
【００７１】
また、このときには、放音空間４６に放音された音を鍵盤蓋１３の前蓋１５と天板４０との間を通って楽器ケース４０の前側に向けて放音することができると共に、鍵盤蓋１３の後蓋１６の下側から鍵盤シャーシ１１内を通って複数の鍵１２の各隙間から楽器ケース１の前側に向けて放音することができる。これらによっても、スピーカ２６で発生した楽音を効率良く良好に楽器ケース４０から放音することができる。
【００７２】
なお、上述した第１、第２の各実施形態では、スピーカ２６を楽器ケース１内に下向きに配置し、またスピーカ２６を楽器ケース４０内に前向きに配置した場合について述べたが、これに限らず、例えば楽器ケース１、４０内にスピーカ２６を上向きに配置しても良い。
【００７３】
また、上述した第１、第２の各実施形態では、鍵盤蓋１３が前蓋１５と後蓋１６とを蝶番１７で連結した場合について述べたが、これに限らず、例えば多数の蓋部に分割し、この分割された蓋部をそれぞれ蝶番などの屈曲可能な連結部材で順次連結した構成であっても良い。
【００７４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７５】
（付記）
請求項１に記載の発明は、前部側が上方に開放された楽器ケースと、
この楽器ケース内に配置された鍵盤シャーシに複数の鍵が並列に配列されると共に前記楽器ケースの前部上側に露呈された鍵盤部と、
前記鍵盤部の後方に位置し、前記楽器ケース内に配置されたスピーカと、
前記楽器ケースの上部に位置する天板に設けられ、前記スピーカで発生した音を放音するための放音孔と、
複数の蓋部が折り曲げ可能に連結された鍵盤蓋と、
前記鍵盤部を上側に開放した際に、前記鍵盤蓋を折り曲げた状態で、前記鍵盤部の後部と前記スピーカとの間で、かつ前記放音孔を閉塞しない位置に配置させる蓋ガイド部と、
を備えていることを特徴とする鍵盤楽器である。
【００７６】
請求項２に記載の発明は、請求項１に記載の鍵盤楽器において、前記蓋ガイド部は、前記鍵盤蓋が前記鍵盤部の上側を覆った際に前記複数の蓋部をほぼ平板状に配置し、且つ前記鍵盤蓋が前記鍵盤部を上側に開放した際に前記複数の蓋部を折り曲げて前記鍵盤部の後部に接近させた状態で、前記鍵盤部の後部と前記スピーカとの間に配置させることを特徴とする鍵盤楽器である。
【００７７】
請求項３に記載の発明は、請求項１または請求項２に記載の鍵盤楽器において、前記スピーカは前記楽器ケース内に下向きに配置されており、前記放音孔は前記楽器ケースの上部における前記スピーカの上方に位置する箇所に設けられていることを特徴とする鍵盤楽器である。
【００７８】
請求項４に記載の発明は、請求項１または請求項２に記載の鍵盤楽器において、前記スピーカは前記楽器ケース内に前向きに配置されており、前記放音孔は前記楽器ケースの上部における前記スピーカの前側に位置する箇所に設けられていることを特徴とする鍵盤楽器である。
【００７９】
請求項５に記載の発明は、請求項４に記載の鍵盤楽器において、前記楽器ケース内には、前記鍵盤部と前記スピーカとを仕切る取付部材が、前記鍵盤部の後部に接近して配置された前記鍵盤蓋の後方に位置して設けられていると共に、前記取付部材によって前記鍵盤蓋と前記楽器ケースとの間に放音空間が設けられており、前記放音孔は、前記楽器ケースの上部における前記放音空間に対応する箇所に設けられていることを特徴とする鍵盤楽器である。
【００８０】
請求項６に記載の発明は、請求項１〜請求項５のいずれかに記載の鍵盤楽器において、前記楽器ケースには、前記放音孔を塞ぐ閉塞蓋が開閉可能に設けられていることを特徴とする鍵盤楽器である。
【００８１】
請求項７に記載の発明は、請求項６に記載の鍵盤楽器において、前記閉塞蓋を開閉自在に支持する蓋支持部材を備えていることを特徴とする鍵盤楽器である。
【符号の説明】
【００８２】
１、４０  楽器ケース
２  底板
３  前板
４、４１  後板
５  一対の側板
６、４２  天板
１０  鍵盤部
１１  鍵盤シャーシ
１２  複数の鍵
１３  鍵盤蓋
１４  蓋ガイド部
１５  前蓋
１６  後蓋
１７  蝶番
１８  ガイドレール部
１９  ガイド部材
２６  スピーカ
２７、４５  第１放音孔
２８、４８  第２放音孔
３０  閉塞蓋
３１  ヒンジ部
３２  蓋支持部材
４４  取付板
４６  音響空間
４７  放音空間
【図１】
2013242369.tif 000003
【図２】
2013242369.tif 000004
【図３】
2013242369.tif 000005
【図４】
2013242369.tif 000006
【図５】
2013242369.tif 000007
【図６】
2013242369.tif 000008
【図７】
2013242369.tif 000009
【図８】
2013242369.tif 000010
【図９】
2013242369.tif 000011
【図１０】
2013242369.tif 000012